(57)【要約】【課題】透光性のカバー内部に進入した塵が基板上に集積して絶縁性を低下させるのを防止できるＬＥＤ照明器具を提供する。【解決手段】透光性のカバー１６の内部において、ＬＥＤ３０、３１の前方を透光性の保護部材１７Ａで覆うとともに、保護部材１７Ａの端部１７１を、回路基板２１の外側で器具本体１１に面当接で取り付けた。このため、ＬＥＤ３０、３１および回路基板２１を覆う保護部材１７Ａが器具本体１１に密着するので、透光性のカバー１６内部に進入した塵が保護部材１７Ａ内に侵入するのを防止でき、回路基板２１上に集積して絶縁性を低下させるのを防止できる。【選択図】図４
2013229245.tif 000002
【特許請求の範囲】
【請求項１】
ＬＥＤを実装した基板と、
前記基板を支持する器具本体と、
前記ＬＥＤの前方を覆う透光性のカバーと、を有し、
前記透光性のカバーの内部において前記ＬＥＤの前方を透光性の保護部材で覆うとともに、
前記保護部材の端部が、前記基板の外側で前記器具本体に面当接しているＬＥＤ照明器具。
【請求項２】
請求項１に記載のＬＥＤ照明器具において、
前記保護部材の端部には前記器具本体側に向かう壁部が設けられており、
前記壁部の端面が前記器具本体に面当接するＬＥＤ照明器具。
【請求項３】
請求項２に記載のＬＥＤ照明器具において、
前記壁部の端部には前記器具本体に沿って脚部が設けられており、
前記壁部の前記端面と前記脚部の前記器具本体側面が連続するＬＥＤ照明器具。
【請求項４】
請求項１ないし請求項３のうちのいずれか１項に記載のＬＥＤ照明器具において、
前記器具本体に凹みが設けられており、
前記保護部材には前記凹みに嵌入する嵌入部が設けられているＬＥＤ照明器具。
【請求項５】
請求項１ないし請求項３のうちのいずれか１項に記載のＬＥＤ照明器具において、
前記器具本体に凸部が設けられており、
前記保護部材には前記凸部が嵌合する嵌合凹部が設けられているＬＥＤ照明器具。
【発明の詳細な説明】
【技術分野】
【０００１】
本発明は、光源であるＬＥＤが実装された基板の前方に透光性のカバーを有するＬＥＤ照明器具に関するものである。
【背景技術】
【０００２】
従来より、天井等に取り付けられて下方を照明するＬＥＤ照明器具が知られている（例えば、特許文献１参照）。
図９に示すように、特許文献１に記載の照明器具１００は、金属製の器具本体１０１を天井１０２等に取り付ける。器具本体１０１には、光拡散性を有する透光カバー１０３が取り付けられ、透光カバー１０３の中央部には円板状のセンタカバー１０４が着脱可能に取り付けられる。
器具本体１０１の中央には、放熱フィン１０５が鉛直に設けられており、放熱フィン１０５には複数のＬＥＤ１０６が取り付けられている。ＬＥＤ１０６の照射方向には、ＬＥＤ１０６で発する光を所要の方向へ進行させるためのレンズ１０７が取り付けられている。
【先行技術文献】
【特許文献】
【０００３】
【特許文献１】特開２０１２−２２８４９号公報（第３図）
【発明の概要】
【発明が解決しようとする課題】
【０００４】
前述したような照明器具１００においては、器具本体１０１と透光性のカバー１０３との隙間は、虫などの異物の混入を防ぐためにせばめるが、完全に密着させると、材質の熱膨張率の差による音の発生が懸念されるため、ある程度の隙間が設けられている。
しかしながら、隙間が設けられているため、器具の点滅による熱的な呼吸作用により、透光性のカバー１０３の内部にある程度の塵が混入し、基板上に塵が集積されるおそれがある。
これにより、絶縁性の低下を招いたり、塵の水分が結露し、トラッキングを引き起こすおそれがあるという問題があった。
これは、ＬＥＤ１０６の前方にレンズ１０７が設けられている場合でも、レンズ１０７と基板との間に隙間がある場合には、同様の問題が生じる。
また、長期間使用する照明器具においては、ゴム製のパッキンを用いて塵や水分の侵入を防いでいる場合でも、パッキンの劣化に伴い、同様の問題が生じる。
【０００５】
本発明は、従来の問題を解決するためになされたもので、透光性のカバー内部に進入した塵が基板上に集積して絶縁性を低下させるのを防止できるＬＥＤ照明器具を提供することを目的とする。
【課題を解決するための手段】
【０００６】
本発明のＬＥＤ照明器具は、ＬＥＤを実装した基板と、前記基板を支持する器具本体と、前記ＬＥＤの前方を覆う透光性のカバーと、を有し、前記透光性のカバーの内部において前記ＬＥＤの前方を透光性の保護部材で覆うとともに、前記保護部材の端部が、前記基板の外側で前記器具本体に面当接しているものである。
【０００７】
また、本発明のＬＥＤ照明器具は、前記保護部材の端部には前記器具本体側に向かう壁部が設けられており、前記壁部の端面が前記器具本体に面当接するものである。
【０００８】
また、本発明のＬＥＤ照明器具は、前記壁部の端部には前記器具本体に沿って脚部が設けられており、前記壁部の前記端面と前記脚部の前記器具本体側面が連続するものである。
【０００９】
また、本発明のＬＥＤ照明器具は、前記器具本体に凹みが設けられており、前記保護部材には前記凹みに嵌入する嵌入部が設けられているものである。
【００１０】
さらに、本発明のＬＥＤ照明器具は、前記器具本体に凸部が設けられており、前記保護部材には前記凸部が嵌合する嵌合凹部が設けられているものである。
【発明の効果】
【００１１】
本発明では、透光性のカバーの内部においてＬＥＤの前方を透光性の保護部材で覆うとともに、保護部材の端部が、基板の外側で器具本体に面当接で取り付けた。このため、ＬＥＤおよび基板を覆う保護部材が器具本体に密着するので、透光性のカバー内部に進入した塵が保護部材内に侵入するのを防止でき、基板上に集積して絶縁性を低下させるのを防止できるという効果を有するＬＥＤ照明器具を提供できる。
【図面の簡単な説明】
【００１２】
【図１】本発明に係る第１実施形態のＬＥＤ照明器具の分解斜視図
【図２】本発明に係る第１実施形態のＬＥＤ照明器具の垂直断面図
【図３】本発明に係る第１実施形態のＬＥＤ照明器具のＬＥＤ発光部の分解斜視図
【図４】ＬＥＤカバーの器具本体に対する取付部を示す断面図
【図５】（Ａ）は図４中Ｖ部分の概略説明図であり、（Ｂ）は変形例の概略説明図であり、（Ｃ）はさらに別の変形例の概略説明図
【図６】本発明に係る第２実施形態のＬＥＤ照明器具におけるＬＥＤカバーと器具本体との当接部を示す概略図
【図７】（Ａ）は本発明に係る第３実施形態のＬＥＤ照明器具におけるＬＥＤカバーと器具本体との当接部を示す概略図であり、（Ｂ）は（Ａ）中Ｂ部分の拡大図
【図８】（Ａ）は本発明に係る第４実施形態のＬＥＤ照明器具におけるＬＥＤカバーと器具本体との当接部を示す概略図であり、（Ｂ）は（Ａ）中Ｂ部分の拡大図
【図９】従来の照明器具の断面図
【発明を実施するための形態】
【００１３】
（第１実施形態）
以下、本発明に係る第１実施形態のＬＥＤ照明器具について、図面を用いて説明する。
図１に示すように、本発明に係る第１実施形態のＬＥＤ照明器具１０Ａは、器具本体１１と、器具本体１１の中央部に設けられて器具本体１１を天井面（図２参照）９０に取り付けるための取付部１２とを備える。
また、ＬＥＤ照明器具１０Ａは、器具本体１１の中央部の周りの周辺部１３において環状に設けられた複数のＬＥＤ発光部１４と、各ＬＥＤ発光部１４へ電力を供給する電源部（図２参照）１５とを備える。
そして、ＬＥＤ照明器具１０Ａは、各ＬＥＤ発光部１４を覆うように器具本体１１の周辺部１３に設けられた透光性を有するカバー１６を備える。
【００１４】
ＬＥＤ照明器具１０Ａは、器具本体１１に固定されて各ＬＥＤ発光部１４を覆う、詳細を後述するＬＥＤカバー（保護部材）１７Ａを有する。
また、ＬＥＤ照明器具１０Ａは、電源部１５から器具本体１１に有する貫通孔（図３参照）２０に挿通されてＬＥＤ発光部１４に有する回路基板（基板）２１に接続される複数の接続線（図３参照）２２を備える。
そして、ＬＥＤ照明器具１０Ａは、各接続線２２が圧入されるとともに貫通孔２０に嵌合されるグロメット２３を備える。
【００１５】
さらに、ＬＥＤ照明器具１０Ａは、器具本体１１の中央部において取付部１２を操作するための孔部２４が設けられており、この孔部２４を閉鎖するものであって取付部１２におけるカバー１６側を着脱自在に覆う蓋部材２５を備える。
ＬＥＤ照明器具１０Ａは、孔部２４の側部に、リモコン信号が受光される不図示の受光素子を設けていて乳白色の受光素子カバー２６を有するリモコン受光部２７と、不図示のリモコン送信機との機種設定を行うためのチャンネル設定部２８とが取り付けられている。
【００１６】
器具本体１１は、厚みの薄いダイカスト部材等を用いて円板形に形成されている。器具本体１１の床面側の外縁部には、カバー１６を回し止めるための複数のカバー係合部２９が取り付けられている。
器具本体１１は、床面側が反射面として機能する。
ＬＥＤ発光部１４は、円周を四分割するように分離された円弧形状の回路基板２１を有する。
ＬＥＤ発光部１４は、回路基板２１の床面側における内周側に封止された複数のＬＥＤチップ（ＬＥＤ）３０および回路基板２１の床面側における外周側に封止された複数のＬＥＤチップ（ＬＥＤ）３１を有する。
【００１７】
回路基板２１は、内周側のＬＥＤチップ３０に電気的に接続される不図示のプリント回路および外周側のＬＥＤチップ３１に電気的に接続される不図示のプリント回路を有し、それらプリント回路が接続線２２を通じて電源部１５に独立して電気的に接続される。
なお、内周側の複数のＬＥＤ３０チップおよび外周側の複数のＬＥＤチップ３１は、それぞれ異なる色温度等の特性を有するものを適用できる。
【００１８】
取付部１２は、天井面９０に設置されている引掛シーリング（図２参照）９１に機械的および電気的に接続される取付アダプタであって、電源部１５に電気的に接続される。
電源部１５は、引掛シーリング９１から給電される商用交流電流を回路基板２１のプリント回路に直流電源に変換して与えるためのインバータ等の電気部品を内蔵している。
カバー１６は、例えば乳白色の樹脂製であって、器具本体１１のカバー係合部２９に回し止めされる。
【００１９】
ＬＥＤカバー１７Ａは、カバー１６の中央部に光成分を配光する広角レンズである。
ＬＥＤカバー１７Ａは、透光性を有する樹脂製であって、内周側の複数のＬＥＤチップ３０を覆う内周側レンズ部３２および外周側の複数のＬＥＤチップ３１を覆う外周側レンズ部３３を有する円環形状に形成されている。
ＬＥＤカバー１７Ａは、内周側レンズ部３２と外周側レンズ部３３との間に凹部３４を有する。
ＬＥＤカバー１７Ａは、内周側のＬＥＤチップ３０および外周側のＬＥＤチップ３１とともにＬＥＤ発光部１４を構成する。
ＬＥＤカバー１７Ａは、鍔形状に形成された外縁部に複数のねじ孔部３５を有し、同じく鍔形状に形成された内縁部に複数のねじ孔部３６を有する。
【００２０】
ＬＥＤカバー１７Ａは、外縁部のねじ孔部３５および内縁部のねじ孔部３６を通じて不図示のねじが器具本体１１にねじ込まれることにより、器具本体１１に取り付けられる。
孔部２４は、取付部１２の外径寸法よりも十分に大きい内径寸法を有する小判形状に形成されている。
蓋部材２５は、孔部２４の内径寸法よりも大きい外径寸法を有する小判形状の外形であって、孔部２４に回し止めされることにより、孔部２４に着脱自在に取り付けられる。蓋部材２５は、表面が反射機能を有する。
そのため、蓋部材２５は、取り外されることにより、孔部２４の内部に配置される取付部１２を操作することができる。
【００２１】
ＬＥＤ発光部１４は、内周側のＬＥＤチップ３０および外周側のＬＥＤチップ３１が環状に配置されるために、点灯により発光された光成分が、ＬＥＤカバー１７Ａを通じて器具本体１１の孔部２４を中心として対照に交差する。
従って、環状に配置されたＬＥＤ発光部１４からＬＥＤカバー１７Ａを通じて出射された光成分を均一な光量にして照射できる。
このとき、蓋部材２５が反射機能を有するために、蓋部材２５に向けて出射された光成分が反射されるので、カバー１６に影ができない。
【００２２】
図４には、ＬＥＤカバー１７Ａの器具本体１１に対する当接部３７が示されている。
図４および図５（Ａ）に示すように、ＬＥＤカバー１７Ａの幅方向端部（ここでは、例えば外周側端部）は、器具本体１１側（図４および図５（Ａ）において上側）に曲げ上げられて壁部３８が設けられている。
壁部３８は、ＬＥＤカバー１７Ａを形成する際に、一体で形成することができる。
壁部３８はＬＥＤカバー１７Ａの肉厚と同様の厚さを有しており、端面３８１が、回路基板２１の外側で器具本体１１の下面に面当接する。
【００２３】
以上、説明した本発明に係る第１実施形態のＬＥＤ照明器具１０Ａによれば、透光性のカバー１６の内部において、ＬＥＤ３０、３１の前方を透光性のＬＥＤカバー１７Ａで覆う。そして、ＬＥＤカバー１７Ａの端部１７１を、回路基板２１の外側で器具本体１１に面当接で取り付けた。
このため、ＬＥＤ３０、３１および回路基板２１を覆うＬＥＤカバー１７Ａが器具本体１１に密着するので、透光性のカバー１６内部に進入した塵がＬＥＤカバー１７Ａ内に侵入するのを防止できる。また、回路基板２１上に塵が集積して絶縁性を低下させるのを防止できる。
さらに、器具本体１１とＬＥＤカバー１７Ａとは、略水平面で当接しており、塵が集積する場所がないので、塵に含まれる水分がＬＥＤカバー１７Ａ内部に進入してトラッキングを起こすことがない。
【００２４】
また、ＬＥＤカバー１７Ａの端部には器具本体１１側に向かう壁部３８が設けられており、壁部３８の端面３８１が器具本体１１に面当接するので、ＬＥＤカバー１７Ａを確実に器具本体１１と密着させることができる。
【００２５】
なお、図５（Ｂ）および（Ｃ）には、図５（Ａ）に示したＬＥＤカバー１７Ａの変形例が示されている。
図５（Ｂ）に示すＬＥＤカバー１７Ａでは、端部に設けた壁部３８の厚みを大きくして、器具本体１１に当接する端面３８１の幅を大きくした。
また、図５（Ｃ）に示すＬＥＤカバー１７Ａでは、端部に壁部を設けることなく、ＬＥＤカバー１７Ａの端部１７１を延ばして、器具本体１１にすりつけて面当接した。
このようにしても、前述した図５（Ａ）のＬＥＤカバー１７Ａと同様の作用および効果を得ることができる。
【００２６】
（第２実施形態）
次に、本発明に係る第２実施形態のＬＥＤ照明器具について、図面を用いて説明する。
なお、前述した第１実施形態に係るＬＥＤ照明器具１０Ａと共通する部位には同じ符号を付して、重複する説明を省略することとする。
【００２７】
図６に示すように、第２実施形態のＬＥＤ照明器具１０Ｂでは、ＬＥＤカバー１７Ｂの端部に設けた壁部３８に連続して器具本体１１に沿って脚部３９を設けた。
脚部３９の器具本体側面３９１は、壁部３８の端面３８１に連続して設けられており、連続して器具本体１１に面当接する。
脚部３９は、壁部３８と同様に、ＬＥＤカバー１７Ｂを形成する際に、一体で形成することができる。
【００２８】
以上、説明した本発明に係る第２実施形態のＬＥＤ照明器具１０Ｂによれば、壁部３８の端部には器具本体１１に沿って脚部３９が設けられており、壁部３８の端面３８１と脚部３９の器具本体側面３９１が連続する。
このため、ＬＥＤカバー１７Ｂを確実に器具本体１１と密着させることができる。
【００２９】
（第３実施形態）
次に、本発明に係る第３実施形態のＬＥＤ照明器具について、図面を用いて説明する。
なお、前述した第１実施形態に係るＬＥＤ照明器具１０Ａおよび第２実施形態に係るＬＥＤ照明器具１０Ｂと共通する部位には同じ符号を付して、重複する説明を省略することとする。
【００３０】
図７（Ａ）および（Ｂ）に示すように、第３実施形態のＬＥＤ照明器具１０Ｃでは、ＬＥＤカバー１７Ｃの端部に設けた壁部３８の先端部（嵌入部）３８２が嵌入可能な凹み４０を器具本体１１に設けた。
先端部３８２の端面３８３は、凹み４０の底面４１に面当接する。
先端部３８２は、壁部３８の一部とすることができる。あるいは、壁部３８の断面形状とは異なる断面形状とすることも可能である。
凹み４０と先端部３８２は、断面形状および大きさにおいて、対応するようにする。例えば、先端部３８２は凹み４０に余裕を持って嵌入するようにしても良いし、ぴったりと嵌入するようにしても良い。
【００３１】
以上、説明した本発明に係る第３実施形態のＬＥＤ照明器具１０Ｃによれば、器具本体１１に凹み４０が設けられており、ＬＥＤカバー１７Ｃには凹み４０に嵌合する先端部３８２が設けられている。このため、ＬＥＤカバー１７Ｃを確実に器具本体１１と密着させることができる。
また、器具本体１１に対するＬＥＤカバー１７Ｃの位置決めを容易に行うことができる。
【００３２】
（第４実施形態）
次に、本発明に係る第４実施形態のＬＥＤ照明器具について、図面を用いて説明する。
なお、前述した第１実施形態に係るＬＥＤ照明器具１０Ａないし第３実施形態に係るＬＥＤ照明器具１０Ｃと共通する部位には同じ符号を付して、重複する説明を省略することとする。
【００３３】
図８（Ａ）および（Ｂ）に示すように、第４実施形態のＬＥＤ照明器具１０Ｄでは、器具本体１１に凸部４２を設け、ＬＥＤカバー１７Ｄの端部に設けた壁部３８の端面３８１に、凸部４２が嵌入可能な嵌合凹部４３を設けた。
凸部４２および嵌合凹部４３の形状および大きさは対応しており、例えば凸部４２が下向きに尖った三角形状をしている場合には、嵌合凹部４３も下向きに尖った三角形状をしている。
なお、凸部４２および嵌合凹部４３の形状および大きさは、三角形に限定するものではないが、壁部３８の端面３８１が器具本体１１に面当接するようにする。
【００３４】
以上、説明した本発明に係る第４実施形態のＬＥＤ照明器具１０Ｄによれば、器具本体１１に凸部４２が設けられており、ＬＥＤカバー１７Ｄには凸部４２が嵌合する嵌合凹部４３が設けられている。このため、ＬＥＤカバー１７Ｄを確実に器具本体１１と密着させることができる。
また、器具本体１１に対するＬＥＤカバー１７Ｄの位置決めを容易に行うことができる。
【００３５】
なお、本発明のＬＥＤ照明器具１０Ａ、１０Ｂ、１０Ｃ、１０Ｄは、前述した各実施形態に限定されるものでなく、適宜な変形、改良等が可能である。
例えば、前述した各実施形態においては、ＬＥＤカバー１７Ａ、１７Ｂ、１７Ｃ、１７Ｄの外周側端部を器具本体１１に面当接させる場合を例示したが、内周側端部を器具本体１１に面当接させることも可能である。
さらに、外周側端部および内周側端部の両端部を、器具本体１１に面当接させるようにすると、一層効果的である。
【符号の説明】
【００３６】
１０Ａ、１０Ｂ、１０Ｃ、１０Ｄ  ＬＥＤ照明器具
１１  器具本体
１６  カバー
１７Ａ、１７Ｂ、１７Ｃ、１７Ｄ  ＬＥＤカバー（保護部材）
１７１  端部
２１  回路基板（基板）
３０、３１  ＬＥＤチップ（ＬＥＤ）
３８  壁部
３８１  端面
３８２  先端部（嵌入部）
３９  脚部
３９１  器具本体側面
４０  凹み
４２  凸部
４３  嵌合凹部
【図１】
2013229245.tif 000003
【図２】
2013229245.tif 000004
【図３】
2013229245.tif 000005
【図４】
2013229245.tif 000006
【図５】
2013229245.tif 000007
【図６】
2013229245.tif 000008
【図７】
2013229245.tif 000009
【図８】
2013229245.tif 000010
【図９】
2013229245.tif 000011